(57)【要約】 【課題】  楽器用調湿カバ−に好適で、例えばギタ−等の楽器ケ−スの内外において楽器とカバ−との間の湿気や熱の籠もりを防止し、それらを常時放出するようにして、楽器の湿度を長期に亘って一様に調節し、過剰かつ局部的な調湿による表面部材の反りや破損を防止し、またニスやニカワ等の溶解を防止するとともに、湿度による音色の変化を可及的に抑制し、しかも演奏時の汗の付着によるニスの変色や劣化および音色の変化を防止し、また演奏時のボタン、ファスナ−等による擦過を防止し、楽器の劣化や損傷を未然に防止して、楽器の寿命の向上を図るとともに、楽器に装着した際の音色の変化を防止し、しかも嵩張らず取り扱いに至便な楽器用調湿カバ−を提供すること。              【解決手段】  防水層を備え楽器に装着可能な楽器用調湿カバ−であること。  防水層と透湿層とを備えた薄厚かつ柔軟な調湿カバ−を楽器の調湿部に被着可能にする【選択図】  図１                         
2005300592.tif 000002
【特許請求の範囲】
【請求項１】
防水層を備え楽器に装着可能な楽器用調湿カバ−において、防水層と透湿層とを備えた薄厚かつ柔軟な調湿カバ−を楽器の調湿部に被着可能にしたことを特徴とする楽器用調湿カバ−。
【請求項２】
前記調湿カバ−を、弦楽器の響胴部またはネック若しくは弦の略全域に被着可能にした請求項１記載の楽器用調湿カバ−。
【請求項３】
前記響胴部に被着可能な本体カバ−を略袋状に形成し、該本体カバ−に響胴部の演奏部位を表出可能な開口部を設けた請求項２記載の楽器用調湿カバ−。
【請求項４】
前記ネックと開口部とに被着可能なネックカバ−を設けた請求項１または請求項３記載の楽器用調湿カバ−。
【発明の詳細な説明】
【技術分野】
【０００１】
本発明は、楽器用調湿カバ−に好適で、例えばギタ−等の楽器ケ−スの内外において楽器とカバ−との間の湿気や熱の籠もりを防止し、それらを常時放出するようにして、楽器の湿度を長期に亘って一様に調節し、過剰かつ局部的な調湿による表面部材の反りや破損を防止し、またニスやニカワ等の溶解を防止するとともに、湿度による音色の変化を可及的に抑制し、しかも演奏時の汗の付着によるニスの変色や劣化および音色の変化を防止し、また演奏時のボタン、ファスナ−等による擦過を防止し、楽器の劣化や損傷を未然に防止して、楽器の寿命の向上を図るとともに、楽器に装着した際の音色の変化を防止し、しかも嵩張らず取り扱いに至便な楽器用調湿カバ−に関する。
【背景技術】
【０００２】
ギタ−等の弦楽器は湿度の影響を受け易く、例えば響胴やネック、弦の各部が伸縮すると音色が変化し、またニスやニカワ等が溶解して体裁や組み付けが低下するため、演奏時やケ−ス内での保管時の湿度に配慮する必要があるが、現状では楽器の防湿や調湿に関する十分な手段は提案されていない。
そこで、例えば市販の吸湿剤をギタ−の響胴やケ−ス内に収納する方法が考えられるが、この方法では吸湿作用が局部的に過剰になり、当該部が反り返ったりヒビが入る等してギタ−が損傷し、また吸湿剤の吸湿作用が早期に低下して、長期に亘る吸湿ないし調湿効果を得られない、等の問題があった。
【０００３】
このような問題の解決に応ずるものとして、本体と蓋体の各基本板をベニア板で成形し、この基本板の外面にビニ−ルシ−トを合着し、本体と蓋体の接合面に発泡ウレタン材を接着した楽器用ケ−スがある（例えば、特許文献１）。
【０００４】
しかし、前記楽器用ケ−スは、楽器の保管収容時、外部の湿気を遮断することで所期の効果を得ているが、楽器自体に十分な吸湿ないし調湿効果を得られず、しかもケ−ス開放後の楽器の演奏時における吸湿ないし調湿、損傷防止に全く対応できなかった。
【０００５】
すなわち、ギタ−の演奏時は、演奏者の衣服のボタンやファスナ−がギタ−本体の上側面や背面に接触して損傷し、更に演奏者の汗がギタ−本体に付着してニスが変色し或いは劣化して、体裁が悪くなるばかりか、ギタ−本体の劣化と音色の変化を助長する等の問題があった。
【０００６】
前記問題を解決するものとして、ギタ−本体の上側面に装着可能な上部カバ−と、ギタ−本体の背面に装着可能な正面カバ−とからなり、これらのカバ−を防水性の布地若しくは合成繊維で構成し、また前記カバ−の裏地にフェルト等の柔らかな素材を接合し、更に正面カバ−の表地と裏地との間に、ポリエチレン製フィルムを介在させて防水性を強化する一方、上部カバ−に複数の吸盤を取り付け、或いは上部カバ−の裏地に滑り止めマットを取り付けて、ギタ−本体からの脱落を防止するようにしたギタ−保護カバ−がある（例えば、特許文献２、３、４）。
【０００７】
しかし、前記ギタ−保護カバ−は、防水性の布地若しくは合成繊維とポリエチレン製フィルムとを積層配置しているため、汗の付着防止効果は得られるが、ギタ−本体と保護カバ−との間に湿気や熱が籠もり易く、これによって新たにギタ−本体の膨張や歪が発生し、またニスやニカワ等が溶解して体裁や組み付けが悪化し、これによって音色が変化するという問題があった。
また、前記保護カバ−は、厚肉で嵩張り取り扱いに不便であるとともに、ギタ−本体の装着に吸盤や滑り止めマット等の取り付け手段を要して、部品点数が掛かり、高価で保護カバ−の着脱に手間が掛かり、しかもギタ−本体に装着すると、響胴の振動が抑制されて音色が変化してしまう等の問題があった。
【０００８】
【特許文献１】特公昭５９−５３０４２号公報
【特許文献２】特開２００１−３０６０６３号公報
【特許文献３】意匠登録第１０９８７８４号
【特許文献４】意匠登録第１１００４１３号
【発明の開示】
【発明が解決しようとする課題】
【０００９】
本発明はこのような問題を解決し、楽器用調湿カバ−に好適で、例えばギタ−等の楽器ケ−スの内外において楽器とカバ−との間の湿気や熱の籠もりを防止し、それらを常時放出するようにして、楽器の湿度を長期に亘って一様に調節し、過剰かつ局部的な調湿による表面部材の反りや破損を防止し、またニスやニカワ等の溶解を防止するとともに、湿度による音色の変化を可及的に抑制し、しかも演奏時の汗の付着によるニスの変色や劣化および音色の変化を防止し、また演奏時のボタン、ファスナ−等による擦過を防止し、楽器の劣化や損傷を未然に防止して、楽器の寿命の向上を図るとともに、楽器に装着した際の音色の変化を防止し、しかも嵩張らず取り扱いに至便な楽器用調湿カバ−を提供することを目的とする。
【課題を解決するための手段】
【００１０】
請求項１の発明は、防水層を備え楽器に装着可能な楽器用調湿カバ−において、防水層と透湿層とを備えた薄厚かつ柔軟な調湿カバ−を楽器の調湿部に被着可能にし、弦楽器、管楽器、打楽器または木管楽器、金管楽器等の楽器の種類および材質を問わず、あらゆる楽器の調湿部に被着ないし被覆して、楽器とカバ−との間の湿気や熱の籠もりを防止し、それらを常時放出するようにして、楽器ケ−スの内外において楽器の湿度を長期に亘って一様に調節し、湿度から楽器を保護して、楽器の機能低下や破損、錆および変色の発生を防止し、その寿命の向上と体裁の維持を図るとともに、湿度による音色の変化を防止するようにしている。
【００１１】
請求項２の発明は、調湿カバ−を、弦楽器の響胴部またはネック若しくは弦の略全域に被着可能にして、楽器とカバ−との間の湿気や熱の籠もりを防止し、それらを常時放出するようにして、過剰かつ局部的な調湿による表面部材の反りや破損、ニスやニカワ等の溶解を防止するとともに、湿度による音色の変化を可及的に抑制し、しかも演奏時の汗の付着によるニスの変色や劣化および音色の変化を防止し、また演奏時のボタン、ファスナ−等による擦過を防止して、楽器の劣化や損傷を未然に防止し楽器の寿命の向上を図るとともに、楽器に装着した際の音色の変化を防止し、しかも嵩張らず取り扱いに至便にしている。
【００１２】
請求項３の発明は、前記響胴部に被着可能な本体カバ−を略袋状に形成し、該本体カバ−に響胴部の演奏部位を表出可能な開口部を設け、簡単な構成で響胴部に容易に被着でき、しかも響胴部からの本体カバ−の脱落を防止し得るとともに、本体カバ−を響胴部に被着しての楽器の演奏を可能にし、かつその際の音色の変化を防止し得るようにしている。
請求項４の発明は、前記ネックと開口部とに被着可能なネックカバ−を設け、簡単な構成でネックと開口部とに容易に被着でき、演奏時にネックや弦、フレット等の主要な演奏部位に付着した水分を吸収し、かつこれを外部へ放出するようにして、前記演奏部位の湿度を一様に保ち、それらの機能低下や劣化、および音色の変化を防止し得るようにしている。
【発明の効果】
【００１３】
請求項１の発明は、防水層と透湿層とを備えた薄厚かつ柔軟な調湿カバ−を楽器の調湿部に被着可能にしたから、弦楽器、管楽器、打楽器または木管楽器、金管楽器等の楽器の種類および材質を問わず、あらゆる楽器の調湿部に被着ないし被覆することで、楽器とカバ−との間の湿気や熱の籠もりを防止し、それらを常時放出させて、楽器ケ−スの内外において楽器の湿度を長期に亘って一様に調節し、湿度から楽器を保護して、楽器の機能低下や破損、錆および変色の発生を防止し、その寿命の向上と体裁の維持を図るとともに、湿度による音色の変化を防止することができる。
【００１４】
請求項２の発明は、調湿カバ−を、弦楽器の響胴部またはネック若しくは弦の略全域に被着可能にしたから、弦楽器とカバ−との間の湿気や熱の籠もりを防止し、それらを常時放出するようにして、過剰かつ局部的な調湿による表面部材の反りや破損、ニスやニカワ等の溶解を防止するとともに、湿度による音色の変化を可及的に抑制し、しかも演奏時の汗の付着によるニスの変色や劣化および音色の変化を防止し、また演奏時のボタン、ファスナ−等による擦過を防止して、楽器の劣化や損傷を未然に防止し、楽器の寿命の向上と体裁の維持を図るとともに、楽器に装着した際の音色の変化を防止し、しかも嵩張らず取り扱いに至便であり、ギタ−等の弦楽器に好適な効果がある。
【００１５】
請求項３の発明は、前記響胴部に被着可能な本体カバ−を略袋状に形成し、該本体カバ−に響胴部の演奏部位を表出可能な開口部を設けたから、簡単な構成で響胴部に容易に被着でき、しかも響胴部からの本体カバ−の脱落を防止し得るとともに、本体カバ−を響胴部に被着しての楽器の演奏を可能にし、かつその際の音色の変化を防止することができる
請求項４の発明は、前記ネックと開口部とに被着可能なネックカバ−を設けたから、簡単な構成でネックと開口部とに容易に被着でき、演奏時にネックや弦、フレット等の主要な演奏部位に付着した水分を吸収し、かつこれを外部へ放出するようにして、前記演奏部位の湿度を一様に保ち、それらの機能低下や劣化、および音色の変化を防止することができる。
【発明を実施するための最良の形態】
【００１６】
以下、本発明をギタ−等の弦楽器の調湿カバ−に適用した図示の実施形態について説明すると、図１乃至図５において１は弦楽器であるギタ−、実施形態ではアコ−スティックギタ−で、その調湿部である響胴部２の略全域に調湿カバ−を構成する本体カバ−３が被覆され、また調湿部である前記カバ−３の開口部４周辺と、ネック５および弦６の略全域と、サウンドホ−ル７およびサドル８上に、調湿カバ−を構成するネックカバ−９が被覆されている。
【００１７】
前記本体カバ−３およびネックカバ−９は同質部材で構成され、これは軽量かつ柔軟なナイロンまたはポリエステル等の化学繊維素材、または合成皮革に天然蛋白質の粉末を配合した素材に、耐久撥水加工層およびまたは防水層と、透湿層若しくは吸放湿層とを形成し、その厚さを略０．５〜０．８ｍｍに形成している。
このうち、本体カバ−３は図３のように、響胴部２を収納可能な略袋状に形成され、これは響胴部２の平面形状と略同形の上下側カバ−片１０，１１と、響胴部２の側壁と略同幅の長尺なサイドカバ−片１２とからなり、前記上下側カバ−片１０，１１を対向配置し、それらの間にサイドカバ−片１２を配置し、その各周縁を縫着して袋状に形成している
【００１８】
前記開口部４は、上側カバ−片１０とサイドカバ−片１２とに亘って形成され、このうち上側カバ−片１０の中央部を横長に切り欠き、その一端を上側カバ−片１０の前端縁に延設し、その切欠き位置に対応するサイドカバ−片１２を切り欠いて、サイドカバ−片１２に開口部４を延設し、ネック５の出し入れを可能にしている。
図中、１３は開口部４の開口縁に縫着した平縁、１４は各カバ−片１０〜１２の周縁に縫着した玉縁、１５は開口部４の他端部に縫着した、接合手段としての押圧式のファスナ−布で、一または複数設けられる。
【００１９】
前記ネックカバ−９は、図４のように前後カバ−９ａ，９ｂを連結して構成され、それらは略横長矩形に形成され、その幅は略同幅で、共に開口部４の幅よりも幅広に形成され、それらの長さは後カバ−９ｂの方が前カバ−９ａよりも長尺に形成されている。
このうち、前カバ−９ａはネック５の大半部を被覆可能な幅と長さに形成され、その両側部の内外面に接合手段である、複数の押圧式のファスナ−布１６が縫着されている。この場合、ファスナ−布１６の代わりに緊縛用の紐を設けることも可能である。
【００２０】
また、前記後カバ−９ｂは前記開口部４を十分に閉塞可能な形状寸法に形成されている  図中、１７は前後カバ−９ａ，９ｂの連結部に形成した略Ｖ字形状の切欠部である。
この場合、前記後カバ−９ｂおよび本体カバ−１０の開口部４の周辺に、前述のような押圧式のファスナ−布を設けることも可能であり、また前後カバ−９ａ，９ｂを互いに分離可能に構成し、それらを着脱可能に構成することも可能である。
【００２１】
この他、図中１８は楽器ケ−スであるギタ−ケ−ス、１９はそのケ−スカバ−、２０はネック受兼小物入れで、ネック受２１が立設されている。２２はフレット、２３はネック５の先端の天神部、２４は弦６の調音摘み、２５，２６はギタ−ケ−ス１８およびケ−スカバ−１９の内面に取り付けたシ−ト状のクッション布である。
【００２２】
このように構成した楽器用調湿カバ−は、本体カバ−３とネックカバ−９とを備え、これらは軽量かつ柔軟なナイロンまたはポリエステル等の化学繊維素材、または合成皮革に天然蛋白質の粉末を配合した素材に、耐久撥水加工層およびまたは防水層と、透湿層若しくは吸放湿層とを形成し、その厚さを略０．５〜０．８ｍｍに形成しているから、軽量かつ薄厚で嵩張らず、その取り扱いに至便である。
【００２３】
次に、前記本体カバ−３とネックカバ−９を製作する場合は、前記素材を所定の形状寸法に裁断し、それらを縫製する。
例えば、本体カバ−３を製作する場合は、前記素材を所定の形状寸法に裁断して、上下側カバ−片１０，１１とサイドカバ−片１２とを作製し、このうち上側カバ−片１０に開口部４を切欠いて形成し、サイドカバ−片１２は開口部４の幅分短小に裁断すれば良い。
【００２４】
そして、上下側カバ−片１０，１１を対向配置し、それらの間にサイドカバ−片１２を介在させて、それらの周縁を縫着して袋状に形成し、開口部４の後端部に押圧式のファスナ−布１５を縫着すれば良い。
したがって、部品点数が少なく、また従来のようなギタ−に取り付けるための吸盤や滑り止めマットを要しないから、容易かつ安価に製作できる。
【００２５】
また、ネックカバ−９を製作する場合は、前記素材を所定の形状寸法に裁断して、前後カバ−９ａ，９ｂを作製し、前カバ−９ａの両側の内外面に押圧式のファスナ−布１６を縫着すれば良い。
このように本体カバ−３とネックカバ−９は、構成が簡単で部品点数も少ないから、容易かつ安価に製作できる。
【００２６】
こうして製作した本体カバ−３とネックカバ−９とを使用する場合は、ギタ−１を例えば演奏練習する際は本体カバ−３を使用し、ギタ−１をギタ−ケ−ス１８に収納保管する際は、本体カバ−３とネックカバ−９とを一緒に使用する。
すなわち、ギタ−１を例えば演奏練習する際は、本体カバ−３の開口部４を拡開し、本体カバ−３の内部にギタ−１の響胴部２を収容すれば良い。
この状況は図１のようで、前記響胴部２の外面に本体カバ−３が一定の裕度をもって被着され、その開口部４に、響胴部２の上面の一部と、ネック５の基部と、弦６の基部側と、サウンドホ−ル７と、サドル８とが表出している。
【００２７】
すなわち、ギタ−１は演奏に必要な部位を残して、本体カバ−３で包み込まれているから、後述のようにギタ−１の演奏中に本体カバ−３がずり落ちる心配がなく、それゆえに従来のような滑り止め手段の取り付けの必要がなく、極めて簡単に取り付けられ、かつそのままギタ−１の演奏が可能になる。
【００２８】
そして、ギタ−１の演奏時、演奏者の衣服やボタン、ファスナ−等が本体カバ−３に接触しても、響胴部２との直接的な接触を回避しているから、響胴部２の損傷を未然に防止できる。また、演奏者の汗が本体カバ−３に付着しても、前記カバ−３の撥水作用ないし防水作用によって、その浸透を阻止するから、響胴部２の湿度変化に伴なう変位によって、音色が変化したり、ニス等の塗装部やワニス等の接着剤が溶け出すことはない。
【００２９】
しかも、本体カバ−３は響胴部２に対し一定の裕度をもって、つまり適当に通気可能に被着され、更に透湿層を備えているから、本体カバ−３と響胴部２との間に湿気や熱が籠もることはなく、それらを外部へ放出して一様な湿度状態を得られる。
したがって、高温多湿の梅雨時は湿気や熱を放出し、低温低湿の冬季には保温かつ保湿して、一様な湿度状態を得られ、響胴部２の温度および湿度による伸縮や、それに伴なうヒビや歪、損傷の発生を防止するとともに、ニス等の塗装部やワニス等の接着剤が溶け出すこともなく、しかも音色の変化を防止する。
【００３０】
更に、本体カバ−３は薄厚で、響胴部２に対し一定の裕度で被着しているから、響胴部２の振動を抑制したり変質させる心配がなく、音色の変化を防止し、生の音を奏でるアコ−スティツクギタ−に好適である。
【００３１】
なお、本体カバ−３を取り外す場合は、開口部４を拡開して響胴部２を引き出せば良く、これを簡便に行なえる。
【００３２】
次に、ギタ−１をギタ−ケ−ス１８に収納保管する際は、響胴部２に本体カバ−３を被着し、ネック５にネックカバ−９を被着する。このうち、響胴部２に本体カバ−３を被着する場合は、前述の要領で行なう。
また、ネック５にネックカバ−９を被着する場合は、前カバ−９ａをネック５上に収容し、その両側部をネック５の周面に巻き付け、一方のファスナ−布１６を他側のファスナ−布１６に押し付けて接合し、ネック５の先端側半部を略密封状態にする。
【００３３】
したがって、演奏時にネック５や弦６、フレット２２に付着した汗や手脂中の水分が、ネックカバ−９の透湿層で吸収され、これが外部へ放出されるから、ネック５や弦６、フレット２２が一様な湿度に保たれ、またその水分の付着による劣化を防止して、ギタ−１の寿命の向上を図れる。
【００３４】
この後、後カバ−９ｂを響胴部２の開口部４上に収容し、該開口部４を閉鎖する。
この場合、後カバ−９ｂを前述のようなファスナ−布を用いて、本体カバ−３の開口部４周辺に接合しても良く、何れの場合も後カバ−９ｂと本体カバ−３との間に、一定の通気可能な裕度を形成する。この状況は図２のようで、ギタ−１の大半部が本体カバ−３とネックカバ−９とで被覆される。
【００３５】
こうして、ギタ−１に本体カバ−３とネックカバ−９とを被覆したところで、ギタ−１をギタ−ケ−ス１８内に収容し、ケ−スカバ−１９を閉鎖する。
このようにすると、ギタ−ケ−ス１８とケ−スカバ−１９によって前記ケ−ス１８内が密閉され、外気による湿度の影響が排除される。
その際、ネックカバ−９がケ−スカバ−１９のクッション布２６で軽く押し付けられ、その被着状態を維持して、前述した汗や手脂中の水分の吸収とその発散を促すとともに、外部からの振動や衝撃を吸収して緩和する。この状況は図５のようである。
【００３６】
一方、響胴部２は本体カバ−３とネックカバ−９によって被着され、後述の主要な演奏部位を保護される。
また、演奏時に開口部４から表出する部位の響胴部２やネック５、弦６、フレット２２、サドル８、サウンドホ−ル７等に汗等の水分が付着しても、それらの水分は前記カバ−３，９の透湿層で吸収され、これが外部へ放出されるから、前記収納保管時においても、ネック５や弦６等の表出部位の湿度が一様に保たれ、またその水分の付着による劣化を防止されて、ギタ−１の寿命の向上を促す。
その際、後カバ−９ｂと本体カバ−３と響胴部２の間に、一定の通気可能な裕度が形成されているから、それらの間に湿気や熱が籠もらず、前記調湿作用を増進する。
【００３７】
このように本発明の楽器用調湿カバ−は、簡単な構成で容易かつ安価に製作でき、またギタ−１等の楽器に対する着脱を容易に行なえる一方、前記カバ−の防水層と透湿層によって、外部からの湿気の流入を排除し、また内部からの湿気を放出して、楽器の湿度を一様に保ち、その寿命の向上と音色の変化を防止するようにしたもので、ギタ−に限らず、三味線や琵琶、バイオリン、チェロ、マンドリン等種々の弦楽器に適用し得るとともに、オーボエやクラリネット、フル−ト、笙等の木管若しくは金管楽器、太鼓、ドラム、ティンパニ−等の打楽器等にも適用可能で、しかも簡便に利用し得るようにしたものである。
【産業上の利用可能性】
【００３８】
このように本発明の楽器用調湿カバ−は、例えばギター等の楽器ケ−スの内外において楽器とカバ−との間の湿気や熱の籠もりを防止し、それらを常時放出するようにして、楽器の湿度を長期に亘って一様に調節し、過剰かつ局部的な調湿による表面部材の反りや破損、ニスやニカワの溶出を防止するとともに、湿度による音色の変化を可及的に抑制し、しかも演奏時の汗の付着によるニスの変色や劣化および音色の変化を防止し、また演奏時のボタン、ファスナ−等による擦過を防止し、楽器の劣化や損傷を未然に防止して、楽器の寿命の向上を図るとともに、楽器に装着した際の音色の変化を防止し、しかも嵩張らず取り扱いに至便で、弦楽器用調湿カバ−に好適である。
【図面の簡単な説明】
【００３９】
【図１】本発明をギタ−に適用した使用状態を示す斜視図で、ギタ−の響胴部に本体カバ−を装着して演奏する状況を示している。
【図２】本発明の使用状態を示す斜視図で、ギタ−をギタ−ケ−スに収納保管する際、ギタ−の響胴部に本体カバ−を装着し、ネックと響胴部にネックカバ−を装着した状況を示している。
【図３】本発明に適用した本体カバ−の未使用状態を示す斜視図である。
【図４】本発明に適用したネックカバ−の未使用状態を示す斜視図である。
【図５】本発明の使用状態を示す断面図で、ギタ−をギタ−ケ−スに収納保管している状況を示している。
【符号の説明】
【００４０】
１          弦楽器（ギタ−）
２          響胴部
３          本体カバ−
４          開口部
５          ネック
６          弦
９          ネックカバ−
【図１】
2005300592.tif 000003
【図２】
2005300592.tif 000004
【図３】
2005300592.tif 000005
【図４】
2005300592.tif 000006
【図５】
2005300592.tif 000007